(57)【要約】      （修正有）【課題】登録印影と被照合印影の本質的な相違を、朱肉の付着具合や押印むら等に影響されずに、印影パターンから正確に判別する。【解決手段】登録印鑑の印影と被照合印鑑の印影を拡大表示または非拡大表示する指示を表す拡大表示情報を出力する拡大表示指示手段と、それぞれ任意の時間周期で拡大表示切替信号と非拡大表示切替信号を発生する切替信号発生手段と、前記拡大表示切替信号または前記非拡大表示切替信号に基き、前記登録印鑑の印影と前記被照合印鑑の印影を切替えて、前記登録印鑑の印影と前記被照合印鑑の印影のいずれかを切替印影として出力する印影切替手段と、前記拡大表示情報が前記拡大表示の場合は前記切替印影を任意の大きさに拡大する印影拡大手段と、前記拡大した前記切替印影または前記切替印影を前記切替信号の時間周期に従って交互に出力する表示手段を有する。【選択図】 図２０
2004326821.tif 000002
【特許請求の範囲】
【請求項１】
登録印鑑の印影を格納する登録印鑑格納手段と、被照合印鑑の印影を格納する被照合印鑑格納手段と、前記登録印鑑の印影と前記被照合印鑑の印影を拡大表示または非拡大表示する指示を表す拡大表示情報を出力する拡大表示指示手段と、それぞれ任意の時間周期で切替信号を発生する拡大表示切替信号と非拡大表示切替信号を有し、前記拡大表示情報が前記拡大表示の場合は、前記切替信号を前記拡大表示切替信号に設定し、前記拡大表示情報が前記非拡大表示の場合は、前記切替信号を前記非拡大表示切替信号に設定する切替信号発生手段と、前記拡大表示切替信号または前記非拡大表示切替信号に基き、前記登録印鑑の印影と前記被照合印鑑の印影を切替えて、前記登録印鑑の印影と前記被照合印鑑の印影のいずれかを切替印影として出力する印影切替手段と、前記拡大表示情報が前記拡大表示の場合は前記切替印影を任意の大きさに拡大する印影拡大手段と、前記拡大した前記切替印影または前記切替印影を前記切替信号の時間周期に従って交互に出力する表示手段を有することを特徴とする印鑑照合装置。
【請求項２】
登録印鑑の印影を格納する登録印鑑格納手段と、被照合印鑑の印影を格納する被照合印鑑格納手段と、任意の時間周期で閾値変化信号を発生する周期的信号発生手段と、初期閾値を算出するとともに前記閾値変化信号を受けると任意の増減値に基き前記初期閾値を変更し変更閾値を算出する閾値発生手段と、前記初期閾値または前記変更閾値に基き前記被照合印鑑の印影を二値化して二値画像を作成する二値化処理手段と、前記登録印鑑の印影と前記変更閾値に基き二値化した前記被照合印鑑の印影をそれぞれ異なる表示形態に変換する第１色変換手段と、前記第１色変換手段でそれぞれ前記異なる表示形態に変換した前記登録印鑑の印影と前記被照合印鑑の印影を重ね合わせ、前記登録印鑑の印影と前記被照合印鑑の印影が重なる部分または重ならない部分を更に異なる表示形態に変換する第２色変換手段と、前記第２色変換手段で前記更に異なる表示形態に変換した前記登録印鑑の印影と前記被照合印鑑の印影を重ね合わせた印影を出力する表示手段とを有することを特徴とする印鑑照合装置。
【請求項３】
請求項２に記載の印鑑照合装置において、前記二値化処理手段は、前記登録印鑑の印影を二値化して二値画像を作成し、前記第１色変換手段は、前記被照合印鑑の印影と前記変更閾値に基き二値化した前記登録印鑑の印影をそれぞれ異なる色に変換することを特徴とする印鑑照合装置。
【請求項４】
請求項２または３に記載の印鑑照合装置において、前記表示形態は、色または模様で表示することを特徴とする印鑑照合装置。
【請求項５】
登録印鑑の印影と被照合印鑑の印影を格納し、前記登録印鑑の印影と前記被照合印鑑の印影を拡大表示または非拡大表示する指示を表す拡大表示情報を出力する拡大表示指示処理と、それぞれ任意の時間周期で切替信号を発生する拡大表示切替信号と非拡大表示切替信号を有し、前記拡大表示情報が前記拡大表示の場合は、前記切替信号を前記拡大表示切替信号に設定し、前記拡大表示情報が前記非拡大表示の場合は、前記切替信号を前記非拡大表示切替信号に設定する切替信号発生処理と、前記拡大表示切替信号または前記非拡大表示切替信号に基き、前記登録印鑑の印影と前記被照合印鑑の印影を切替えて、前記登録印鑑の印影と前記被照合印鑑の印影のいずれかを切替印影として出力する印影切替処理と、前記拡大表示情報が前記拡大表示の場合は前記切替印影を任意の大きさに拡大する印影拡大処理と、前記拡大した前記切替印影または前記切替印影を前記切替信号の時間周期に従って交互に出力する表示処理を有することを特徴とする印鑑照合方法。
【請求項６】
登録印鑑の印影と被照合印鑑の印影を格納し、任意の時間周期で閾値変化信号を発生する周期的信号発生処理と、初期閾値を算出するとともに前記閾値変化信号を受けると任意の増減値に基き前記初期閾値を変更し変更閾値を算出する閾値発生処理と、前記初期閾値または前記変更閾値に基き前記被照合印鑑の印影を二値化して二値画像を作成する二値化処理と、前記登録印鑑の印影と前記変更閾値に基き二値化した前記被照合印鑑の印影をそれぞれ異なる表示形態に変換する第１色変換処理と、前記第１色変換手段でそれぞれ前記異なる表示形態に変換した前記登録印鑑の印影と前記被照合印鑑の印影を重ね合わせ、前記登録印鑑の印影と前記被照合印鑑の印影が重なる部分または重ならない部分を更に異なる表示形態に変換する第２色変換処理と、前記第２色変換手段で前記更に異なる表示形態に変換した前記登録印鑑の印影と前記被照合印鑑の印影を重ね合わせた印影を出力する表示手段とを有することを特徴とする印鑑照合方法。
【発明の詳細な説明】
【技術分野】
【０００１】
本発明は、印鑑照合方法に関し、特に目視による印鑑照合をＣＲＴ等の表示装置上で行う場合に、２つの印影の本質的な相違を、朱肉の付着具合や押印むら等に影響されずに、印影パターンから正確に判別できるようにした印鑑照合装置および方法に関する。
【背景技術】
【０００２】
従来の印鑑照合方法では、特許文献１に開示されているように、登録印鑑と被照合印鑑のそれぞれを２つの部分に切断し、おのおのの異なる部分を合成して得られる印影を表示させ、この合成された印影の連続性を基に登録印鑑と被照合印鑑の一致不一致を判別する方法（以下、切断合成による連続性検証方法と呼ぶ）がある。例えば図３を用いて説明する。図３の（ア）が登録印鑑で（イ）が被照合印鑑であるとして（ウ）の実線Ｌ１で示した線によって登録印鑑と被照合印鑑をそれぞれ切断してから登録印鑑の左側と被照合印鑑の右側とを合成した（エ）を表示する。図３において切断位置における連続性を基に照合判定する。（エ）では文字「五」、「郎」の部分に不連続な箇所が存在する。なお、破線Ｌ２は切断位置を分かり易くするために説明上追加したもので、実際の表示にはない。
【０００３】
また、特許文献２に開示されているように、登録印鑑と被照合印鑑を同じ位置に時間周期的に交互に表示することにより、印鑑の異なっている部分がちらついて見えることを利用して照合判別する方法（以下、交互表示方法と呼ぶ）がある。
更に、特許文献３に開示されているように、登録印鑑と被照合印鑑を異なる色で表示し、両印影の重なり合う部分の表示色をさらに異ならせて表示することにより、登録印鑑と被照合印鑑の一致部分と不一致部分を異なる色にした表示を基に照合判別する方法（以下、一致不一致色分け表示方法と呼ぶ）がある。
【特許文献１】特公昭６３−１４３８９
【特許文献２】特開平４−３５９３８３
【特許文献３】特公昭６４−６５０５
【特許文献４】特開昭５４−１４９４３０
【発明の開示】
【発明が解決しようとする課題】
【０００４】
第１に、特許文献１に開示されている「切断合成による連続性検証方法」における構成では、斜めに切断する場合において切断線の角度毎に切断座標テーブルに境界座標情報を記憶させて置かなければならなく、記憶させる角度を増やすと記憶量が大幅に増える問題や、記憶させていない角度の斜めの切断は行えないという問題があり、斜めの切断以外例えば「Ｌ」字の型に切断する場合にも上下移動や角度毎に切断座標テーブルに記憶させなければならないという同様の問題がある。また、登録印鑑と被照合印鑑が類似している場合（図３の（ア）と（イ） のような場合）には、切断合成による連続性検証方法では、切断位置の連続性のみに注目しているため、その切断位置で連続的であっても切断した同じ側の印影が同じであるかはその切断位置による表示のみでは判断できないという問題があり、また、切断位置がちょうど不一致箇所に掛からないと不連続性を見付けられなく、操作者は切断位置を適宜移動させるという操作を行わなければならないという問題がある。
【０００５】
第２に、特許文献２に開示されている「交互表示方法」による照合判定では、登録印鑑と被照合印鑑とを交互に表示させながら、印影の全体的な一致具合を見ることと、局所的な一致具合を見ることが行われる。全体と局所の一致具合を見る場合に適した交互表示の切替え周期は異なるため、操作者は全体と局所を見る度に交互表示の切替え周期を変更しなければならないという問題がある。
【０００６】
第３に、特許文献３に開示されている「一致不一致色分け表示方法」においては以下の問題がある。通常、スキャナー等から入力された被照合印鑑の画像が多階調グレースケールである場合、二値化して白黒二値画像に変換して登録印鑑との照合が行われるが、この二値化を行う閾値によって二値化後の白黒画像が大きく変化し、特に一致不一致色分け表示方法ではその影響が顕著であるため、より良い二値化閾値を設定しなければならない。しかし、印影の濃さや濃さのむら等により最適な二値化閾値を設定するのが困難である。
【０００７】
このような点から、本発明は、第１に「切断合成による連続性検証方法」に関し、切断パターンの記憶量の低減と任意の移動および回転が可能な印鑑照合装置および登録印影と被照合印影の切断合成面の連続性と切断合成面における左右対称性の検証が同時に行える印鑑照合装置を提供することを目的とする。第２に「交互表示方法」に関し、照合の目的によって登録印影と被照合印影を拡大表示または非拡大表示し、その表示方法に連動して交互表示切替時間を変更する印影照合方法を提供することを目的とする。第３に、「一致不一致色分け表示方法」に関し、多値階調の画像を二値化する際の閾値を連続変更させる印鑑照合方法を提供することを目的とする。
【課題を解決するための手段】
【０００８】
係る課題を解決するため、本発明の印鑑照合装置および方法は、以下の構成を採る。
＜構成１＞
登録印鑑の印影を格納する登録印鑑格納手段と、被照合印鑑の印影を格納する被照合印鑑格納手段と、前記登録印鑑の印影と前記被照合印鑑の印影を拡大表示または非拡大表示する指示を表す拡大表示情報を出力する拡大表示指示手段と、それぞれ任意の時間周期で切替信号を発生する拡大表示切替信号と非拡大表示切替信号を有し、前記拡大表示情報が前記拡大表示の場合は、前記切替信号を前記拡大表示切替信号に設定し、前記拡大表示情報が前記非拡大表示の場合は、前記切替信号を前記非拡大表示切替信号に設定する切替信号発生手段と、前記拡大表示切替信号または前記非拡大表示切替信号に基き、前記登録印鑑の印影と前記被照合印鑑の印影を切替えて、前記登録印鑑の印影と前記被照合印鑑の印影のいずれかを切替印影として出力する印影切替手段と、前記拡大表示情報が前記拡大表示の場合は前記切替印影を任意の大きさに拡大する印影拡大手段と、前記拡大した前記切替印影または前記切替印影を前記切替信号の時間周期に従って交互に出力する表示手段を有することを特徴とする印鑑照合装置。
＜構成２＞
登録印鑑の印影を格納する登録印鑑格納手段と、被照合印鑑の印影を格納する被照合印鑑格納手段と、任意の時間周期で閾値変化信号を発生する周期的信号発生手段と、初期閾値を算出するとともに前記閾値変化信号を受けると任意の増減値に基き前記初期閾値を変更し変更閾値を算出する閾値発生手段と、前記初期閾値または前記変更閾値に基き前記被照合印鑑の印影を二値化して二値画像を作成する二値化処理手段と、前記登録印鑑の印影と前記変更閾値に基き二値化した前記被照合印鑑の印影をそれぞれ異なる表示形態に変換する第１色変換手段と、前記第１色変換手段でそれぞれ前記異なる表示形態に変換した前記登録印鑑の印影と前記被照合印鑑の印影を重ね合わせ、前記登録印鑑の印影と前記被照合印鑑の印影が重なる部分または重ならない部分を更に異なる表示形態に変換する第２色変換手段と、前記第２色変換手段で前記更に異なる表示形態に変換した前記登録印鑑の印影と前記被照合印鑑の印影を重ね合わせた印影を出力する表示手段とを有することを特徴とする印鑑照合装置。
＜構成３＞
構成２の印鑑照合装置において、前記二値化処理手段は、前記登録印鑑の印影を二値化して二値画像を作成し、前記第１色変換手段は、前記被照合印鑑の印影と前記変更閾値に基き二値化した前記登録印鑑の印影をそれぞれ異なる色に変換することを特徴とする印鑑照合装置。
＜構成４＞  
構成２または３の印鑑照合装置において、前記表示形態は、色または模様で表示することを特徴とする印鑑照合装置。
＜構成５＞  
登録印鑑の印影と被照合印鑑の印影を格納し、前記登録印鑑の印影と前記被照合印鑑の印影を拡大表示または非拡大表示する指示を表す拡大表示情報を出力する拡大表示指示処理と、それぞれ任意の時間周期で切替信号を発生する拡大表示切替信号と非拡大表示切替信号を有し、前記拡大表示情報が前記拡大表示の場合は、前記切替信号を前記拡大表示切替信号に設定し、前記拡大表示情報が前記非拡大表示の場合は、前記切替信号を前記非拡大表示切替信号に設定する切替信号発生処理と、前記拡大表示切替信号または前記非拡大表示切替信号に基き、前記登録印鑑の印影と前記被照合印鑑の印影を切替えて、前記登録印鑑の印影と前記被照合印鑑の印影のいずれかを切替印影として出力する印影切替処理と、前記拡大表示情報が前記拡大表示の場合は前記切替印影を任意の大きさに拡大する印影拡大処理と、前記拡大した前記切替印影または前記切替印影を前記切替信号の時間周期に従って交互に出力する表示処理を有することを特徴とする印鑑照合方法。
＜構成６＞  
登録印鑑の印影と被照合印鑑の印影を格納し、任意の時間周期で閾値変化信号を発生する周期的信号発生処理と、初期閾値を算出するとともに前記閾値変化信号を受けると任意の増減値に基き前記初期閾値を変更し変更閾値を算出する閾値発生処理と、前記初期閾値または前記変更閾値に基き前記被照合印鑑の印影を二値化して二値画像を作成する二値化処理と、前記登録印鑑の印影と前記変更閾値に基き二値化した前記被照合印鑑の印影をそれぞれ異なる表示形態に変換する第１色変換処理と、前記第１色変換手段でそれぞれ前記異なる表示形態に変換した前記登録印鑑の印影と前記被照合印鑑の印影を重ね合わせ、前記登録印鑑の印影と前記被照合印鑑の印影が重なる部分または重ならない部分を更に異なる表示形態に変換する第２色変換処理と、前記第２色変換手段で前記更に異なる表示形態に変換した前記登録印鑑の印影と前記被照合印鑑の印影を重ね合わせた印影を出力する表示手段とを有することを特徴とする印鑑照合方法。
【発明の効果】
【０００９】
本発明によれば、「切断合成による連続性検証方法」と「交互表示方法」と「一致不一致色分け表示方法」のそれぞれにおける問題点を解決し、登録印影と被照合印影の印影パターンから印鑑照合を正確に実施することができる。
【発明を実施するための最良の形態】
【００１０】
以下、本発明の実施形態に係る印鑑照合装置について、図面を用いて詳細に説明する。
【実施例１】
【００１１】
本発明の第１の実施形態を詳細に説明する。第１の実施形態は、「切断合成による連続性検証方法」において、切断の境界座標情報の記憶量を増やさずに、任意の角度の斜め線による切断合成や、任意の切断形状による切断合成ができる印鑑照合装置である。図１に、本発明の印鑑照合装置の第１の実施形態を示すブロック構成図を示す。
【００１２】
図１（Ａ）において、印鑑照合装置は、切断位置制御部１、登録印保持部２、被照合印保持部３、切断パターン発生部４、切断マスク生成部５、印影選択出力部６、表示制御部７をする。さらに図１（Ｂ）に切断マスク生成部５の内部構成を示す。切断マスク生成部５は、座標変換部５Ａ、描画処理部５Ｂを有する。また、図示しないが、印鑑照合判定者のメニュー操作等を行う入力装置を有している。
【００１３】
切断位置制御部１は、印鑑照合判定者のメニュー操作、キーボード操作やマウス操作等による指示を解釈して、切断パターン形状と移動情報を出力する。切断パターン形状には、例えば、「直線」、「十字」、「Ｌ字」等の形状の種別が登録されている。また、十字形状等の幅を持つ種別の場合はその十字の幅等の付加情報も登録されている。これらの切断パターン形状を示す形状の種別と付加情報は切断パターン発生部４へ送られる。切断パターン形状の種別および種別に対応した付加情報は、予め切断位置制御部１に登録しておき、その中から選択する。また、十字の幅等の付加情報の値は複数登録されている既定値又は印鑑照合判定者が任意に指定することができる。
【００１４】
移動情報には、縦横の平行移動量と左右の回転角度があり、これらの情報は切断マスク生成部５へ送られる。なお、「斜線」による切断では、すべて１つの直線形状を選択し、任意に回転角度を指定することで、結果として任意の角度の斜線を指定できる。他の形状についても同様に、その形状は１つでも任意に平行移動と回転ができる。
【００１５】
登録印保持部２は、登録印鑑の印影を対応する口座番号等と共に保管したファイル（図示省略）から、照合の対象となる登録印鑑の印影画像を読み出して一時記憶するメモリ等である。被照合印保持部３は、登録印鑑と一致するかどうかの照合を受ける被照合印鑑の印影が、図示省略した入力スキャナ部によりデジタル化されて得られた印影画像を一時記憶するメモリ等である。
【００１６】
切断パターン発生部４は、切断位置制御部１からの切断パターン形状と、照合しようとする印影画像のサイズを基に、切断パターンである二次元図形を発生する。この二次元図形は切断マスク生成部５へ送られる。ここで、照合しようとする印影画像のサイズは、登録印保持部１と被照合印保持部２から得た各印影のデータを基に決定する。まず、照合しようとする登録印鑑の印影と被照合印鑑の印影が重ね合わさる様に位置合わせ処理を施し、登録印鑑の印影と被照合印鑑の印影のサイズが異なる場合は、両印影を比較し、被照合印影のサイズを登録印影のサイズに合わせるサイズ合わせ処理を施す。位置合わせ処理およびサイズ合わせ処理は従来から用いられている方法（例えば、特許文献４に開示されている方法等）で良い。
【００１７】
位置合わせ処理およびサイズ合わせ処理をした後の、登録印鑑の印影のサイズを照合しようとする印影画像のサイズとする。二次元図形は、１つ以上複数の図形の集まりであり、その図形を決定する座標値等の情報である。例えば多角形ならば各頂点の二次元座標であり、円形ならば中心座標と半径とから成る。
【００１８】
切断マスク生成部５は、座標変換部５Ａ、描画処理部５Ｂを有し、切断パターン発生部４から受け取った二次元図形と、切断位置制御部１から受け取った移動情報である平行移動量と回転角度に基づいて切断マスクを生成する。まず、照合しようとする印影画像のサイズを切断マスクの領域（サイズ）とする。
【００１９】
次に、座標変換部５Ａは、二次元図形の座標値を平行移動量と回転角度に基づいて座標変換し、描画処理部５Ｂは、切断マスクの領域（サイズ）上に、座標変換部５Ａで座標変換した後の座標値に従って描画する。
【００２０】
切断マスクは、登録印鑑の印影と被照合印鑑の印影を画素単位に選択するための二値フラグの二次元配列である。例えば、切断マスクの領域上に二次元図形を白黒（例えば白がビット値０で黒がビット値１）で描画すると、ビット値０または１から成る切断マスクが生成される。生成した切断マスクは図示しないが切断マスク生成部５のメモリ中に格納される。座標変換部５Ａ及び描画処理部５Ｂは、二次元の一般的な図形描画処理で良い。（例えば、コンピュータグラフィックス技術で一般的な二次元図形描画方法）
【００２１】
印影選択出力部６は、切断マスク生成部５で生成された二次元の二値配列である切断マスクに従って、登録印保持部２と被照合印保持部３のどちらかから、画素を選択し、登録印影と被照合印影から合成した印影画像を出力する。例えば、切断マスクから、選択したい画素の配列位置に対応する二値の値を取り出し、その二値のビット値が０の時は配列位置に対応する登録印鑑の画素を選択し、ビット値が１の時は配列位置に対応する被照合印鑑の画素を選択する。登録印影と被照合印影から合成した印影画像は表示制御部７に送られる。
【００２２】
表示制御部７は、印影選択出力部６から受け取った合成された印影画像を、表示メモリ等を介してＣＲＴ等に表示する。
【００２３】
図２は、本発明の第１の実施形態の動作を示すフローチャートである。ここで、まず印鑑照合判定者は、口座番号等から登録印鑑の印影を登録印保持部２に読み出し（ステップ１）、スキャナ等を使って被照合印鑑の印影を読み取り被照合印保持部３に記憶させる（ステップ２）。次に、キーボードやマウス等を操作して、切断パターン形状である種別と付加情報と、移動情報である平行移動量と回転角度を指定する（ステップ３）。切断パターン発生部４は、照合しようとする印影画像のサイズを、登録印保持部１と被照合印保持部２から得た各印影のデータを基に決定し、そのサイズと選択された切断パターン形状の種別と付加情報から二次元図形から成る切断パターンを発生させる（ステップ４）。
【００２４】
次に、切断マスク生成部５が、照合しようとする印影画像のサイズを切断マスクの領域（サイズ）と、ステップ４で発生させた二次元図形と移動情報である平行移動量と回転角度に基づいて、切断マスクの領域上に二次元図形を描画し、切断マスクを生成する（ステップ５）。次に、印影選択出力部６は、切断マスクにおける各配列位置の二値の値を取出して、例えば、ビット値０の時は登録印保持部２からその位置の画素を取出し、ビット値が１の時は被照合印保持部３からその位置の画素を取出す選択をし、合成された印影を生成する（ステップ６）。
【００２５】
最後に、表示制御部７は、切断合成された印影をＣＲＴ上に表示出力する（ステップ７）。
【００２６】
次に、事例と図２のフローチャートを用いて、第１の実施形態における処理過程を具体的に説明する。
【００２７】
まず、切断パターン形状の種別として、「直線」を選択する場合を説明する。
【００２８】
印鑑照合判定者は、図３（ア）に示す登録印鑑の印影を登録印保持部２に読み出し、図３（イ）に示す被照合印鑑の印影を読み取って被照合印保持部３に記憶させる（図２、ステップ１、２）。
【００２９】
次に、切断パターン形状の選択と、移動情報を指定する。ここでは、切断パターン形状の種別として、「直線」を選択する。種別が直線の場合は付加情報は選択されない。移動情報である平行移動量は「１０左移動」、回転角度は「３０度右回転」とする。(図２、ステップ３）
【００３０】
以上のステップ１から３のように、印鑑照合判定者が入力すると、照合する印影の領域（サイズ）を登録印鑑の印影と被照合印鑑の印影に基いて決定する。次に、選択された切断パターン形状「直線」から二次元図形を発生させる（ステップ４）。
【００３１】
二次元図形は、印影のサイズを基に発生させる大きさを決定する。例えば、印影のサイズの３倍とする。具体的には、切断パターン形状が「直線」の場合は、図４（キ）に示すように、半平面の斜線部分の長方形Ｐ１を二次元図形として発生する。二次元図形が、長方形の斜線部分となるのは、直線で切断する場合ある点（画素）がその直線に対してどちら側にあるかを判定するので、その直線を境とする半平面となり、対象が有限領域であるので長方形となる。
【００３２】
次に、切断マスク生成部５が、ステップ４から図４（キ）のような二次元図形を受取り、座標変換と描画処理を行って、切断マスクとして図４（ケ）を生成する手順を説明する（図２、ステップ５）。
【００３３】
まず、照合しようとする印影画像のサイズに基き切断マスクの領域（サイズ）を決定する。図４（ク）のＭ１が切断マスクの領域である。次に、平行移動量と回転角度が指定されているので、図４（キ）の二次元図形Ｐ１を座標変換部５Ａによって切断位置制御部１からの平行移動量と回転角度に従って座標変換する。図４（ク）のＰ２が座標変換後の二次元図形である。
【００３４】
この座標変換後の二次元図形Ｐ２に基き、描画処理部５Ｂが切断マスクに描画を行う。二次元図形Ｐ２を切断マスクの領域上に描画した切断マスクを図４（ケ）に示す。この図４（ケ）は、Ｍ１が切断マスクの領域の二次元配列を表し、Ｖ１（白色の領域）が配列要素の値がビット値０、Ｖ２（斜線の領域）が配列要素の値がビット値１を表している。図３（ウ）は、図４（ケ）と同様の図である。図３（ウ）のＬ１は図４（ケ）のＶ１とＶ２の境界線に対応しており、登録印影と被照合印影の連続性を判定する切断面となる。
【００３５】
印影選択出力部６は、図４（ケ）のような切断マスクにおける各配列位置の二値の値を取出して、ビット値が０の時は登録印保持部２からその位置の画素を取出し、ビット値が１の時は被照合印保持部３からその位置の画素を取出す選択をする（図２、ステップ６）。図４（ケ）のＶ１の位置の画素は、図３（ア）の登録印鑑の印影の画素であり、図４（ケ）のＶ２の位置の画素は、図３（イ）の被照合印鑑の印影の画素である。図３（エ）に登録印鑑の印影と被照合印鑑の印影を合成した印影を出力する。なお、図３（エ）における破線Ｌ２は切断位置を分かり易くするために書き加えたもので、実際の合成された印影には存在しない。また、表示の際は、合成した印影のみを出力しても、切断面を分かりやすくするために破線Ｌ２を合成した印影に加えて出力してもよい。
【００３６】
表示制御部７は、図３（エ）に示す切断合成された印影をＣＲＴ上に表示出力する（図２、ステップ７）。
【００３７】
次に、切断パターン形状の種別として、「十字」を選択する場合を説明する。
【００３８】
図２のフローチャートのステップ１および２までの処理を実行しているものとする。
【００３９】
切断パターン形状の選択と、移動情報を指定する。ここでは、切断パターン形状の種別として、「十字」を選択する。種別が「十字」の場合は十字の幅が付加情報となるので、印鑑照合判定者は、十字の幅として既定値又は任意の値を指定する。ここでは、付加情報は幅１０、移動情報である平行移動量は「３右移動」、回転角度は「２０度右回転」とする。(図２、ステップ３）
【００４０】
以上のステップ１から３のように、印鑑照合判定者が入力すると、照合する印影の領域（サイズ）を登録印鑑の印影と被照合印鑑の印影に基いて決定する。次に、選択された切断パターン形状「十字」から二次元図形を発生させる（ステップ４）。
【００４１】
二次元図形は、印影のサイズを基に発生させる大きさを決定する。例えば、印影のサイズの３倍とする。具体的には、切断パターン形状が「十字」の場合は、図４（コ）に示すように、幅を持った十字形状となり、斜線部分のＰ３を二次元図形として発生する。図４（コ）の矢印で示した部分が十字の幅を示している。
【００４２】
次に、切断マスク生成部５が、ステップ４から図４（コ）のような二次元図形を受取り、座標変換と描画処理を行って、切断マスクとして図４（シ）を生成する手順を説明する（図２、ステップ５）。
【００４３】
まず、照合しようとする印影画像のサイズに基き切断マスクの領域（サイズ）を決定する。図４（サ）のＭ２が切断マスクの領域である。次に、平行移動量と回転角度が指定されているので、図４（コ）の二次元図形Ｐ３を座標変換部５Ａによって切断位置制御部１からの平行移動量と回転角度に従って座標変換する。図４（サ）のＰ４が座標変換後の二次元図形である。
【００４４】
この座標変換後の二次元図形Ｐ４に基き、描画処理部５Ｂが切断マスクに描画を行う。二次元図形Ｐ４を切断マスクの領域上に描画した切断マスクを図４（シ）に示す。この図４（シ）は、Ｍ２が切断マスクの領域の二次元配列を表し、Ｖ３（白色の領域）が配列要素の値がビット値０、Ｖ４（斜線の領域）が配列要素の値がビット値１を表している。図３（オ）は、図４（シ）と同様の図である。図３（オ）のＬ３とＬ４は、図４（シ）のＶ３とＶ４にそれぞれ対応している。Ｌ３とＬ４の境界線は、登録印影と被照合印影の連続性を判定する切断面となる。
【００４５】
印影選択出力部６は、図４（シ）のような切断マスクにおける各配列位置の二値の値を取出して、ビット値が０の時は登録印保持部２からその位置の画素を取出し、ビット値が１の時は被照合印保持部３からその位置の画素を取出す選択をする（図２、ステップ６）。図４（シ）のＶ３の位置の画素は、図３（ア）の登録印鑑の印影の画素であり、図４（シ）のＶ４の位置の画素は、図３（イ）の被照合印鑑の印影の画素である。図３（カ）に登録印鑑の印影と被照合印鑑の印影を合成した印影を出力する。なお、図３（カ）における破線Ｌ５は切断位置を分かり易くするために書き加えたもので、実際の合成された印影には存在しない。また、表示の際は、合成した印影のみを出力しても、切断面を分かりやすくするために破線Ｌ５を合成した印影に加えて出力してもよい。
【００４６】
表示制御部７は、図３（カ）に示す切断合成された印影をＣＲＴ上に表示出力する（図２、ステップ７）。
【００４７】
なお、第１の実施形態では切断パターン形状の種別として「直線」と「十字」について説明したが、第１の実施形態はこれらの形状に限定されるものではなく、Ｌ字、円、曲線などを切断パターン形状の種別として切断位置制御部１に登録すれば、これらの切断パターン形状にも適用できる。
【００４８】
切断パターン形状の種別が「円」、「Ｌ字」、「曲線」の場合の二次元図形および切断マスクについて図面を用いて説明する。照合する印影の領域（サイズ）は登録印鑑の印影と被照合印鑑の印影に基いて決定されているものとする。
【００４９】
切断パターン形状の種別が「円」の場合を説明する。種別が「円」の場合は円の直径が付加情報となるので、印鑑照合判定者は、円の直径として既定値又は任意の値を指定する。ここでは、付加情報は直径４０、移動情報である平行移動量は「３８右移動」、「３５下移動」とする。切断パターン形状の種別が「円」の場合の二次元図形Ｐ５を図５（ハ）に示す。次に、平行移動量に基き、図５（ハ）の二次元図形Ｐ５を座標変換する。図５（ヒ）のＰ６が座標変換後の二次元図形である。図５（ヒ）のＭ３が切断マスクの領域（サイズ）である。
【００５０】
二次元図形Ｐ６を切断マスクの領域Ｍ３上に描画した切断マスクを図５（フ）に示す。
【００５１】
切断パターン形状の種別が「Ｌ字」の場合を説明する。種別が「Ｌ字」の場合は付加情報は選択されない。ここでは、移動情報である平行移動量は「１５下移動」、回転角度は「１０度右回転」とする。切断パターン形状の種別が「Ｌ字」の場合の二次元図形Ｐ７を図６（ヘ）に示す。切断パターン形状が「Ｌ字」の場合は、図６（ヘ）に示すように、１／４平面の斜線部分の正方形Ｐ７を二次元図形として発生する。次に、平行移動量と回転角度に基き、図６（へ）の二次元図形Ｐ７を座標変換する。図６（ホ）のＰ８が座標変換後の二次元図形である。図６（ホ）のＭ４が切断マスクの領域（サイズ）である。
【００５２】
二次元図形Ｐ８を切断マスクの領域Ｍ４上に描画した切断マスクを図６（マ）に示す。
【００５３】
切断パターン形状の種別が「曲線」の場合の説明をする。種別が「曲線」場合は曲線の極点が付加情報となるので、印鑑照合判定者は、曲線の極点として既定値又は任意の値を指定する。ここでは、付加情報は極点（５、５）と（−６，−６）、移動情報である平行移動量は「５右移動」、回転角度は「１０度回転」とする。切断パターン形状の種別が「曲線」の場合の二次元図形Ｐ９を図７（ミ）に示す。次に、平行移動量と回転角度に基き、図７（ミ）の二次元図形Ｐ９を座標変換する。図７（ム）のＰ１０が座標変換後の二次元図形である。図７（ム）のＭ５が切断マスクの領域（サイズ）である。
【００５４】
二次元図形Ｐ１０を切断マスクの領域Ｍ１０上に描画した切断マスクを図７（メ）に示す。
【００５５】
＜第1の実施形態の効果＞
以上のように切断パターン発生部４と切断マスク生成部５を設けて、生成された切断マスクに従って、登録印鑑の印影と被照合印鑑の印影とを選択出力して、切断合成した印影を表示するようにしたことで、切断パターン形状の種別個々には１つの形状を記憶するだけで良く、記憶量の低減が図られるという効果がある。さら、１つの切断パターン形状に対して任意の平行移動と回転が可能となる。従って、登録印鑑と被照合印鑑の不一致分がある場合にその不一致部分に切断位置を合せることが容易であるという効果がある。
【実施例２】
【００５６】
本発明の第２の実施形態を詳細に説明する。第２の実施の形態は、「切断合成による連続性検証方法」において、直線で切断して合成する時に片方の印鑑の印影を反転してから合成する方法を取ることにより、切断線における連続性に加えて、切断線の左右の対称性を同時に検証することができる印鑑照合装置である。
【００５７】
第２の実施形態の構成を説明する前に、登録印鑑と被照合印鑑をどのように合成して表示するか図８を用いて説明する。図８中の破線Ｌ６は切断位置を表し、図８（ス）は被照合印鑑の印影、図８（ソ）は登録印鑑の印影である。被照合印鑑の印影を切断位置のＬ６で反転した結果の印影は図８（セ）に示すようになり、登録印鑑の印影図８（ソ）におけるＬ６の左側部分と、反転した被照合印鑑の印影図８（セ）におけるＬ６の右側部分とを合成し、その結果は図８（タ）のようになる。
【００５８】
なお、図８の破線Ｌ６は説明上書き加えたもので、実際の合成された印影には存在しない。この反転して合成した図８（タ）の表示により印鑑照合判定者は、切断位置のＬ６における印影の連続性と、Ｌ６の左右の対称性を判断して、登録印鑑と被照合印鑑の一致不一致の判定を行う。例えば、この図８の例では切断位置のＬ６は、印影中の文字の間に位置するため、第１の実施形態の切断合成を行うと図８（チ）のようになりＬ６における印影の連続性は不明だが、この第２の実施形態の反転して合成した図８（タ）からはＬ６の左右対称性を判断材料として使える（「五」の文字で左右対称になっていないことがわかる）。
【００５９】
図９に、本発明の印鑑照合装置の第２の実施形態であるブロック構成図を示す。第２の実施形態において第１の実施形態と同様の機能を備えるブロックには同一の番号を付与し、第２の実施形態において第１の実施形態と異なるブロックについてのみ詳細に説明する。
【００６０】
図９（Ａ）において、切断位置制御部１１、登録印保持部２、被照合印保持部３、切断パターン発生部４、切断マスク生成部５、印影選択出力部１６、表示制御部７、印影反転部１８を有する。さらに、図９（Ｂ）に印影反転部１８の内部構成を示す。印影反転部１８は、座標逆変換部１８Ａ、画像反転部１８Ｂ、座標変換部１８Ｃを有する。また、図示しないが、印鑑照合判定者のメニュー操作等を行う入力装置を有している。
【００６１】
切断位置制御部１１は、切断パターン形状の種別として「直線」（以下の説明では縦の直線とするが、横の直線でも同様の処理が可能である。）のみを対象とすることが異なる。また、移動情報を切断マスク生成部５へ送ることに加えて印影反転部１８へも送ることである。その他の動作は第１の実施形態と同様である。
【００６２】
印影反転部１８は、切断位置制御部１１からの移動情報である縦横の平行移動量と回転角度を受け取り、被照合印保持部３の印影を切断位置の直線に基いて反転した印影を生成し、印影選択出力部１６に送る。ここで、印影反転部１８の内部は、切断位置制御部１１からの平行移動量と回転角度による座標変換と、この座標変換の逆変換である座標逆変換と、左右反転変換の、それぞれの変換に対応した座標変換部１８Ｃ、画像反転部１８Ｂ、座標逆変換部１８Ａとがあり、座標逆変換部１８Ａ、画像反転部１８Ｂ，座標変換部１８Ｃの順で処理する。反転処理が施された被照合印影の画素データは、印影反転部１８に存在するメモリに登録される。
【００６３】
印影選択出力部１６は、被照合印鑑の印影を被照合印鑑保持部３から得るのではなく、被照合印鑑の反転された印影を印影反転部１８から得るところが異なる。その他の動作は第１の実施の形態と同様である。
【００６４】
図１０は、本発明の第２の実施形態の動作を示すフローチャートである。第２の実施形態において第１の実施形態と同様の機能を備えるステップには同一の番号を付与し、第２の実施形態において第１の実施形態と異なるステップについて詳細に説明する。
【００６５】
第１の実施形態と同様に、まず、印鑑照合判定者は、登録印影の登録印保持部２への読み出しと（ステップ１）、被照合印影の被照合印保持部３への記憶を行う（ステップ２）。
【００６６】
次に、切断パターン形状の種別を選択し、平行移動量と回転角度を指定する。第２の実施形態では切断パターンの形状の種別は「直線」で、以下の説明では「縦の直線」とする（ステップ１３）。切断パターン発生部４は、二次元図形を発生させ（ステップ４）切断マスク生成部５は切断マスクを生成する（ステップ５）。次に、印鑑照合判定者が、平行移動量を指定したか否かを判定し、指定されている場合は、ステップ１８に処理を進め、指定されていない場合は、ステップ１７に処理を進める（ステップ１６）。
【００６７】
次に、印鑑照合判定者が、回転移動量を指定したか否かを判定し、指定されている場合は、ステップ１８に処理を進め、指定されていない場合は、ステップ２１に処理を進める（ステップ１７）。ステップ２１は、切断パターン形状である「縦の直線」を平行移動や回転移動しない場合である。したがって、印影反転部１８は、切断パターン形状の直線に基いて、画像反転部１８Ｂにより被照合印鑑の印影を左右反転変換する（ステップ２１）。
【００６８】
ステップ１８、１９、２０は、切断パターン形状である「縦の直線」を平行移動や回転移動する場合である。したがって、印影反転部１８は、切断パターン形状の直線（平行移動量・回転移動量）に基いて、座標逆変換部１８Ａで、被照合印鑑の印影の座標に座標逆変換を施して、座標変換をしないときと同じ状態にする（ステップ１８）。次に、画像反転部１８Ｂで左右反転変換を行い（ステップ１９）、最後に座標変換部１８Ｃで、ステップ１８で施した座標逆変換を基に戻すような座標変換を行う（ステップ２０）。
【００６９】
次に、印影選択出力部１６は、切断マスク生成部５によって生成された切断マスクの各配列要素における二値の値を取出し、ビット値０のときは登録印保持部２からその位置の画素を取出し、ビット値１のときは反転処理が施された被照合印鑑の印影を印影反転部から対応する位置の画素を取出す選択をし、合成された印影を出力する。（ステップ２２）。
【００７０】
最後に、表示制御部７は、切断合成された印影をＣＲＴ上にに表示出力する（ステップ７）。
【００７１】
次に、事例と図１０のフローチャートを用いて、第２の実施形態における処理過程を具体的に説明する。先に、切断パターン形状の種別を「直線」とし、平行移動と回転移動を行わない場合について、図９を用いて説明したので、ここでは、平行移動を行う場合と、回転移動を行う場合について説明する。
【００７２】
ここで、図１０のフローチャートのステップ１と２の処理を実行しているものとし、図８（ス）に示す登録印鑑の印影を登録印保持部２に読み出し、図８（ス）に示す被照合印鑑の印影を読み取って被照合印保持部３に記憶させているものとする。
【００７３】
まず、切断パターン形状の種別として「直線」を指定し、切断パターンの移動情報として平行移動量「５右移動」を指定した場合である。
【００７４】
ここで、図１１と図１２を用いて、図１０のステップ１３、４、５が、切断パターン形状と移動情報に基き、切断マスクを生成する過程を説明する。まず、図１１（Ａ）に座標軸と切断マスクの領域（サイズ）を示す。この座標軸上に切断パターン形状の種別「直線」に基き二次元図形を発生させた図が図１１（Ｂ）である。図１１（Ｂ）を移動情報「右移動」に基き、二次元図形を右に移動させた図が図１１（Ｃ）である。図１１（Ｄ）に切断マスクの領域に二次元図形を描画した切断マスクを示す。
【００７５】
次に、ステップ１６で、 平行移動量が指定されているか否かを判定する。ここでは、平行移動量「右移動」が指定されているのでステップ１８に処理を進める（図１０、ステップ１６）。
【００７６】
図１１（Ｅ）は被照合印の印影であり、この被照合印の印影の座標を逆変換する。図１１（Ｆ）に図１１（Ｅ）を逆変換（左移動）した図を示す（図１０、ステップ１８）。次に、図１１（Ｆ）を縦軸に対して左右反転した図を図１２（Ｇ）に示す（図１０、ステップ１９）。さらに、図１２（Ｇ）を座標変換（右移動）した図を図１２（Ｈ）に示す。（図１０、ステップ２０）。
【００７７】
ここで、図１２（Ｈ）の被照合印の図に図１１（Ｄ）の切断マスクで得られた切断位置を示した図を図１２（Ｉ）に示し、登録印に切断位置を示した図を図１２（Ｊ）に示す。
【００７８】
ステップ２２において、切断マスクの各配列要素における二値の値を取出し、図１２（Ｊ）の登録印または図１２（Ｉ）の反転処理が施された被照合印鑑の印影を選択し、合成された印影を出力する。合成した印影を図１２（Ｋ）に示す。（図１０、ステップ２２）。
【００７９】
次は、切断パターン形状の種別として「直線」を指定し、切断パターンの移動情報として回転移動量「２０度右回転」を指定した場合である。ここで、図１３と１４を用いて、図１０のステップ１３、４、５が、切断パターン形状と移動情報に基き、切断マスクを生成する過程を説明する。まず、図１３（Ｌ）に座標軸上に切断パターン形状の種別「直線」に基き二次元図形を発生させ２０度回転させた図を示す。
【００８０】
図１３（Ｍ）に切断マスクの領域に二次元図形を描画した切断マスクを示す。
【００８１】
ステップ１７で、 回転移動量が指定されているか否かを判定する。ここでは、回転移動量「２０度右回転」が指定されているのでステップ１８に処理を進める（図１０、ステップ１７）。
【００８２】
図１３（Ｎ）は被照合印の印影であり、この被照合印の印影の座標を逆変換する。図１３（Ｏ）に図１３（Ｎ）を逆変換（２０度左回転）した図を示す（図１０、ステップ１８）。次に、図１３（Ｏ）を縦軸に対して左右反転した図を図１３（Ｐ）に示す（図１０、ステップ１９）。さらに、図１３（Ｐ）を座標変換（２０度右回転）した図を図１３（Ｑ）に示す。（図１０、ステップ２０）。
【００８３】
ここで、図１３（Ｑ）の被照合印の図に図１３（Ｍ）の切断マスクで得られた切断位置を示した図を図１４（Ｒ）に示し、登録印に切断位置を示した図を図１４（Ｓ）に示す。
【００８４】
ステップ２２において、切断マスクの各配列要素における二値の値を取出し、図１４（Ｓ）の登録印または図１４（Ｒ）の反転処理が施された被照合印鑑の印影を選択し、合成された印影を出力する。合成した印影を図１４（Ｔ）に示す。（図１０、ステップ２２）。
【００８５】
第２の実施形態において、印影反転部１８は被照合印鑑の印影を反転させたが、登録印鑑の印影を反転させても良い。その場合は、反転した登録印鑑の印影と、反転していない被照合印鑑の印影で合成した印影を出力する。
【００８６】
＜第２の実施形態の効果＞
以上のように印影反転部１８を設けて、切断位置である直線に関して被照合印鑑の印影を反転し、この反転印影と登録印鑑の印影とを切断合成した印影を表示するようにしたことで、切断位置の印影の連続性についての判断に加えて、切断位置の直線に関する左右対称性についての判断を同時に行うことができるという効果がある。
【実施例３】
【００８７】
本発明の第３の実施形態を詳細に説明する。第３の実施形態は、第１の実施形態において、切断位置を時間周期的に変更させる構成を採ることにより、操作者の切断位置を移動させる操作を軽減することができる印鑑照合装置である。図１５に、本発明の印鑑照合装置の第３の実施形態を示すブロック構成図を示す。
【００８８】
第３の実施形態において第１の実施形態と同様の機能を備えるブロックには同一の番号を付与し、第３の実施形態において第１の実施形態と異なるブロックについてのみ詳細に説明する。
【００８９】
図１５において、切断位置制御部２１、登録印保持部２、被照合印保持部３、切断パターン発生部４、切断マスク生成部５、印影選択出力部６、表示制御部７、周期的移動発生部２８を有する。また、図示しないが、印鑑照合判定者のメニュー操作等を行う入力装置を有している。
【００９０】
切断位置制御部２１は、第１の実施形態の切断位置制御部１の動作に加え、切断パターンの移動情報を時間周期的に変化させるか否かの指定と、変化種別を指定する操作を有し、変化の有無と変化種別を周期的移動発生部２８に通知する。また、切断パターンの移動情報に周期的移動発生部２８からの変化移動情報を合成する。
【００９１】
ここで、時間周期的に変化させるとは、例えば、切断パターンの回転角度を一定時間間隔で増加させることにより切断位置を回転運動させることや、平行移動量を一定時間間隔で変化させることにより切断位置をスライド運動（横方向のスライド運動や斜め方向のスライド運動を含む）させることである。これらの変化の方法が変化種別であり、上記例では回転、横スライド、斜めスライドがそれに当たる。
【００９２】
周期的移動発生部２８は、切断位置制御部２１から切断パターンの移動情報を時間周期的に変化させる有無と変化種別を受け、変化させる場合には変化種別に従って時間周期的に変化移動情報を切断位置制御部２１に出力する。変化移動情報は、平行移動量と回転角度からなり、例えば変化種別が回転の場合には一定時間毎に回転角度を１度づつ増減させたり、変化種別が斜めスライドの場合には一定時間毎に平行移動量を斜め方向に増減させる。
【００９３】
図１６は、本発明の第３の実施形態の動作を示すフローチャートである。第３の実施形態において第１の実施形態と同様の機能を備えるステップには同一の番号を付与し、第３の実施形態において第１の実施形態と異なるステップについて詳細に説明する。
【００９４】
第１の実施の形態と同様に、まず、印鑑照合判定者は、登録印影の登録印保持部２への読み出しと（ステップ１）、被照合印影の被照合印保持部３への記憶を行う（ステップ２）。
【００９５】
次に、キーボードやマウス等を操作して、切断パターン形状の種別と付加情報と、平行移動量と回転角度を指定する。また、印鑑照合判定者は時間周期的に変化させるか否かを指定し、時間周期的に変化させる場合には変化種別も合せて指定する（ステップ３）。次に、時間周期的変化の有無と変化種別が指定されたか否かを判定する（ステップ３１）。
【００９６】
これらの指定を切断位置制御部２１は解釈して、切断パターン形状を切断パターン発生部２４に出力し、平行移動量と回転角度の移動情報（以下Tｏと記す）を切断マスク生成部２５に出力する。さらに、時間周期的に変化させる有無と変化種別を周期的移動発生部２８に出力する。
【００９７】
ステップ３１で、時間周期的変化と変化種別が指定されなかった場合は、ステップ４からステップ７の処理を実施する。第１の実施形態と同様に切断パターン発生部４と切断マスク生成部５は動作し、生成された切断マスクに従って印影選択出力部６は切断合成された印影を表示制御部７に出力してＣＲＴに表示する。
【００９８】
ステップ３１で、時間周期的変化と変化種別が指定された場合を説明する。周期的移動発生部２８が、切断位置制御部２１から周期的に変化させると指示を受けた場合は、一定時間毎（以下時間をt0, t1, t2,と記す）に変化種別に従って変化移動情報の平行移動量と回転角度を変化させ、その変化移動情報（以下時間ｔの変化移動情報をＤ(t)と記す）を切断位置制御部２１に出力する（ステップ３２）。
【００９９】
切断位置制御部２１は、この変化移動情報を一定時間毎に受け取ると、最初の移動情報Ｔｏと変化移動情報Ｄ(t)とを合成して、新しい移動情報（以下T(t)と記す）を算出して切断マスク生成部２５に送る（ステップ３３）。
【０１００】
その後、ステップ５に進み変更された移動情報に基き、切断マスクを生成し、新しい移動情報に従って切断合成された印影を表示する。なお、移動情報Ｔｏと変化移動情報Ｄ(t)との合成は、平行移動量と回転角度のそれぞれ毎の加算によって行う。
【０１０１】
ステップ３４で、印影の表示を終了する指示の有無を判定し、終了する場合は処理を終了し、終了しない場合はステップ２１に処理を進める。
【０１０２】
次に、図１７を用いて切断位置が時間周期的にどのように変化するかを説明する。図１７中の太い矢印で示した方向が移動方向である。一定時間間隔で時刻がt0，t1，t2，t3．．．と移っていく時に、切断パターン形状の種別が「直線」で変化種別が「横スライド」の場合を示したものが図１７（ツ）である。変化移動情報中の平行移動量を図１７（ツ）の太い矢印の方向（右方向）に増加させることにより、それぞれの時刻における切断位置の直線は図１７（ツ）の破線L(t0), L(t1), L(t2), L(t3) で示すように移動する。従って登録印鑑と被照合印鑑の切断合成の場所が時間と共に自動的に変化して表示される。
【０１０３】
同様に、切断パターン形状の種別が「直線」で変化種別が「回転」の場合を図１７（テ）に示す。それぞれの時刻における切断位置が破線K(t0)，K(t1)，K(t2)，K(t3) と自動的に変化しながら切断合成される。
【０１０４】
切断パターン形状の種別が「十字」で変化種別が「斜めスライド」の場合を図１７（ト）に示す。それぞれの時刻における切断位置が右斜め斜線M(t0)，左斜め斜線M(t1) と自動的に変化しながら切断合成される。
【０１０５】
＜第３の実施形態の効果＞
以上のように周期的移動発生部２８を設けて、切断位置を時間周期的に自動で変化させながら、登録印鑑の印影と被照合印鑑の印影とを切断合成した印影を表示するようにしたことで、切断位置における印影の連続性がない場所を探すという作業において、印鑑照合判定者が切断位置を移動させるという操作が必要でなくなり、印影の連続性を目視確認することに注力できるという効果がある。
【実施例４】
【０１０６】
本発明の第４の実施形態を詳細に説明する。第４の実施形態は、第２の実施形態の「被照合印鑑の印影を反転し、登録印鑑の印影と切断合成して表示する印鑑照合装置」において、第３の実施形態と同様に切断位置を時間周期的に変更させる構成を採ることにより、切断位置における連続性に加えて切断位置の左右の対称性を同時に検証できる印鑑照合装置であり、かつ、操作者の切断位置を移動させる操作を軽減することができる印鑑照合装置である。
【０１０７】
図１８に、本発明の印鑑照合装置の第４の実施形態であるブロック構成図を示す。第４の実施形態において第１から第３の実施形態と同様の機能を備えるブロックには同一の番号を付与し、第４の実施形態において第１から第３の実施形態と異なるブロックについてのみ詳細に説明する。
【０１０８】
図１８において、切断位置制御部３１、登録印保持部２、被照合印保持部３、切断パターン発生部４、切断マスク生成部５、印影選択出力部１６、表示制御部７、印影反転部１８を有する。また、印影反転部１８は図９（Ｂ）に示す内部構造を有するものとする。また、図示しないが、印鑑照合判定者のメニュー操作等を行う入力装置を有している。
【０１０９】
切断位置制御部３１は、切断パターン形状の種別として「直線」を対象とする。また、切断パターンの移動情報を時間周期的に変化させるか否かの指定と変化種別を指定する操作を有し、変化の有無と変化種別を周期的移動発生部２８に通知する。また、切断パターンの移動情報に前記周期的移動発生部２８からの変化移動情報を合成して切断マスク生成部３５と印影反転部３８に出力することである。その他の動作は第１の実施の形態と同様である。
【０１１０】
図１９は、本発明の第４の実施形態の動作を示すフローチャートである。第４の実施形態において第１から第３の実施形態と同様の機能を備えるステップには同一の番号を付与し、第４の実施形態において第１から第３の実施形態と異なるステップについて詳細に説明する。
【０１１１】
第１から３の実施形態と同様に、まず、印鑑照合判定者は、登録印影の登録印保持部２への読み出しと（ステップ１）、被照合印影の被照合印保持部３への記憶を行う（ステップ２）。
【０１１２】
次に、切断パターン形状の種別を選択し、平行移動量と回転角度を指定する。第４の実施形態では切断パターンの形状の種別は「直線」とする。また、印鑑照合判定者は時間周期的に変化させるか否かを指定し、時間周期的に変化させる場合には変化種別も合せて指定する（ステップ４１）。次に、時間周期的変化の有無と変化種別が指定されたか否かを判定する（ステップ３１）。
【０１１３】
これらの指定を切断位置制御部３１は解釈し、切断パターン形状を切断パターン発生部４に出力し、平行移動量と回転角度の移動情報を切断マスク生成部５と印影反転部１８に出力する。更に、時間周期的に変化させる有無と変化種別を周期的移動発生部２８に出力する。
【０１１４】
ステップ３１で、時間周期的変化と変化種別が指定されなかった場合は、ステップ４、５、１６から２２の処理を実施する。第２の実施形態と同様に切断パターン発生部４と切断マスク生成部５と印影反転部１８は動作し、生成された切断マスクに従って登録印鑑の印影と切断線に関して反転された被照合印鑑の印影とを印影選択出力部１６は切断合成し、その結果の印影は表示制御部７に入力されてＣＲＴに表示される（ステップ４、５、１６〜２２、７）。
【０１１５】
ステップ３１で、時間周期的変化と変化種別が指定された場合を説明する。周期的移動発生部２８が、切断位置制御部３１から周期的に変化させると指示を受けた場合は、一定時間毎に変化種別に従って変化移動情報の平行移動量と回転角度を変化させ、その変化移動情報を切断位置制御部３１に出力する（ステップ３２）。
【０１１６】
切断位置制御部３１は、この変化移動情報を一定時間毎に受け取ると、最初の移動情報と変化移動情報とを合成して、新しい移動情報を算出して切断マスク生成部５に送ると共に、被照合印鑑の印影を反転する印影反転部１６にもこの新しい移動情報を出力する（ステップ３３）。
【０１１７】
その後、ステップ５に進み、変更された移動情報に基き、切断マスクを生成し、新しい移動情報に従って切断合成された印影を表示する。
【０１１８】
ステップ３４で、印影の表示を終了する指示の有無を判定し、終了する場合は処理を終了し、終了しない場合はステップ２１に処理を進める。
【０１１９】
第３の実施形態と同様、切断線の一定時間間隔毎での変化の様子は図１７の（ツ）（テ）に示した通りである。（ト）については、十字の切断パターン形状は第４の実施形態では使用されないが、斜め方向の変化は適用できる。
【０１２０】
＜第４の実施形態の効果＞
以上のように印影反転部１８と周期的移動発生部２８を設けて、切断位置である直線を時間周期的に自動で変化させながら、この直線に関して被照合印鑑の印影を反転し、この反転印影と登録印鑑の印影とを切断合成した印影を表示するようにしたことで、印鑑照合判定者が切断位置を移動させるという操作が必要でなくなり、印影の連続性と切断位置における左右の対称性を目視で確認することに注力できるという効果がある。
【実施例５】
【０１２１】
本発明の第５の実施形態を詳細に説明する。第５の実施形態は、「交互表示方法」において、局所的な一致具合を見る場合に拡大表示と合わせて自動的に交互表示の切替え周期を変更することができる印鑑照合装置である。図２０に、本発明の印鑑照合装置の第５の実施形態を示すブロック構成図を示す。
【０１２２】
第５の実施形態において第１の実施形態と同様の機能を備えるブロックには同一の番号を付与し、第５の実施形態において第１の実施形態と異なるブロックについてのみ詳細に説明する。
【０１２３】
図２０において、登録印保持部２、被照合印保持部３、切替信号発生部４１、印影切替部４４、印影拡大部４５、拡大表示指示部４７、表示制御部７を有する。また、図示しないが、印鑑照合判定者のメニュー操作等を行う入力装置を有している。
【０１２４】
切替信号発生部４１は、一定時間周期毎に信号を発生させる機能を有し、発生させる時間周期は可変で、この信号発生の時間周期を拡大表示指示部４７からの指示に従って変化させる機能を有する。例えば、非拡大表示用の切替信号発生時間間隔値と、拡大表示用の切替信号発生時間間隔値を持つ。
【０１２５】
印影切替部４４は、登録印保持部２および被照合印保持部３のどちらかの印影全体を出力する機能を有し、どちらを出力するかは内部に持つ印影選択フラグ（例えば、印影選択フラグがＯＮの場合は登録印鑑の印影、ＯＦＦの場合は被照合印鑑の印影）に従って行われる。この印影選択フラグは、切替信号発生部４１からの信号を受けると、フラグの値を反転（ＯＮならばＯＦＦに、ＯＦＦならばＯＮに変換）する。従って、切替信号発生部４１から信号が印影切替部４４に入力される度に、印影切替部４４が出力する印影は、登録印鑑の印影と被照合印鑑の印影とで切替える。
【０１２６】
印影拡大部４５は、入力された印影を拡大指示に従って画像を拡大して出力する機能を有する。拡大処理については、単純に同じ画素値を重複させる方法や、線型補間法で内挿する方法など一般的な手法を用いれば良い。印影の拡大指示は拡大表示指示部４７から行われ、印影切替部４４から入力された登録印鑑の印影または被照合印鑑の印影を、拡大指示に従って画像を拡大処理し、表示制御部７に出力する。
【０１２７】
拡大表示指示部４７は、印鑑照合判定者が拡大表示する有無の操作を解釈して、印影拡大部４５に拡大表示の指示を出力すると共に、切替信号発生部４１にも拡大表示の指示を出力する。
【０１２８】
図１９は、本発明の第５の実施形態の動作を示すフローチャートである。第５の実施形態において第１の実施形態と同様の機能を備えるステップには同一の番号を付与し、第５の実施形態において第１の実施形態と異なるステップについて詳細に説明する。
【０１２９】
第１の実施の形態と同様に、まず、印鑑照合判定者は、登録印影の登録印保持部２への読み出しと（ステップ１）、被照合印影の被照合印保持部３への記憶を行う（ステップ２）。
【０１３０】
ここで、印鑑照合判定者が印影を拡大表示させる指示を行ったか否かを判定する。拡大表示をしない場合はステップ５２に進み、拡大表示をする場合はステップ５６に進む。
【０１３１】
まず、ステップ５１で印鑑照合判定者が拡大表示をしない場合を説明する。拡大表示指示部４７は、拡大表示しない指示（非拡大表示）を切替信号発生部４１と印影拡大部４５に出力する（ステップ５２）。
【０１３２】
切替信号発生部４１は、切替周期を非拡大表示用に設定し、非拡大表示の切替信号発生時間間隔値に従って切替信号を発生させる（ステップ５３）。
【０１３３】
印影切替部４４は、切替信号発生部４１からの信号を受けると内部の印影選択フラグを変更し、その印影選択フラグに従って、登録印鑑の印影全体かまたは被照合印鑑の印影全体を印影拡大部４５に出力する（ステップ５４）。
【０１３４】
印影拡大部４５は、拡大表示指示部４７から拡大表示しない指示を受けているので、入力された印影をそのままの大きさの画像として表示制御部７に出力し、表示制御部７はＣＲＴ上に表示出力する（ステップ５５）。これらの処理の結果、印鑑照合判定者が拡大表示させる操作をしていない場合には、ＣＲＴ上には登録印鑑の印影と被照合印鑑の印影が、非拡大表示用の切替信号発生時間間隔値で交互に、登録印保持部２と被照合印保持部３に記憶している印影の大きさそのままの大きさで表示される。
【０１３５】
次に、ステップ５１で印鑑照合判定者が拡大表示をする場合を説明する。拡大表示指示部４７は、拡大表示をする指示（拡大表示）を切替信号発生部４１と印影拡大部４５に出力する（ステップ５６）。
【０１３６】
切替信号発生部４１は、切替周期を拡大表示用に設定し、拡大表示の切替信号発生時間間隔値に従って切替信号を発生させる（ステップ５７）。
【０１３７】
印影切替部４４は、この切替信号に従って登録印鑑の印影全体かまたは被照合印鑑の印影全体を印影拡大部４５に出力する（ステップ５８）。印影拡大部４５は、拡大表示指示部４７から拡大表示する指示を受けているので、入力された、登録印鑑の印影と被照合印鑑の印影のいずれかを拡大処理する（ステップ５９）。その結果の拡大画像を表示制御部７に出力し、 表示制御部７はＣＲＴ上に拡大された印影を表示出力する。（ステップ５５）。
【０１３８】
これらの処理の結果、印鑑照合判定者が拡大表示させる操作をした場合には、ＣＲＴ上には登録印鑑の印影と被照合印鑑の印影が、拡大表示用の切替信号発生時間間隔値で交互に、印影を拡大した大きさで表示される。
【０１３９】
ステップ３４で、印影の表示を終了する指示の有無を判定し、終了する場合は処理を終了し、終了しない場合はステップ５１に処理を進める。
【０１４０】
以上により、印鑑照合判定者による拡大表示を行う有無の操作に従って、登録印鑑の印影と被照合印鑑の印影がそのままの大きさか拡大されて交互表示され、その交互に表示される切替時間間隔が拡大表示の有無によって自動的に変化する。
【０１４１】
非拡大表示用の切替信号発生時間間隔値と、拡大表示用の切替信号発生時間間隔値の設定は、以下のように設定することで目視による印鑑照合判定に効果がある。
【０１４２】
まず、印鑑照合判定者は印影の全体的な差異を見ることと、特に注目して見なければならない箇所を見付けることを行うが、その時は拡大表示しない交互表示を行う。この場合、登録印鑑の印影と被照合印鑑の印影が交互表示によって、ちらついて見える箇所を探すため、交互表示の切替時間間隔を短くして置くことが有効である。
【０１４３】
次に、印鑑照合判定者が注目して見なければならない箇所を見付けた時には、その箇所がはっきりと見えるように拡大表示して交互表示を行う。この場合、登録印鑑の印影と被照合印鑑の印影との交互表示よる視覚の残像現象から差異箇所を検証するため、交互表示の切替時間間隔をあまり短くしない方が有効である。
【０１４４】
従って、以上の理由から、拡大表示用の切替信号発生時間間隔値は、非拡大表示用の切替信号発生時間間隔値より大きくして置くと効果がある。例えば、拡大表示用の切替信号発生時間間隔値を３００ミリ秒、非拡大表示用の切替信号発生時間間隔値を１００ミリ秒とする。
【０１４５】
切替時間間隔および拡大表示するサイズは、複数登録されている既定値又は印鑑照合判定者が任意に指定することができる。
【０１４６】
＜第５の実施形態の効果＞
以上のように拡大表示指示部４７と印影拡大部４５を設け、印影を交互表示する切替時間間隔を拡大表示する有無に従って変化させるようにしたことで、登録印鑑の印影と被照合印鑑の印影の比較で注目箇所を探す非拡大表示の場合と、注目箇所で両印影の差異を検証する拡大表示の場合とで、それぞれに適した交互表示の切替時間間隔に自動的に変更されるという効果と、切替時間間隔を印鑑照合判定者がその都度変更する操作が必要なくなり、目視確認に注力できるという効果がある。
【実施例６】
【０１４７】
本発明の第６の実施形態を詳細に説明する。第６の実施形態は、「一致不一致色分け表示方法」において、多階調グレースケール画像を二値化する閾値を時間周期的に変化させる印鑑照合装置である。
【０１４８】
第６の実施形態の構成を説明する前に、まず「一致不一致色分け表示方法」について説明する。図２２（ナ）は、登録印鑑の印影中の一文字「口」取出したもので波縞で表示している。図２２（ニ）は、被照合印鑑の印影中の一文字「田」を取出したもので縦縞で表示している。この２つの印影を重ね合せて重なる所を異なる縞で表したのが図２２（ヌ）である。図２２（ヌ）では重なる部分を点縞で表示している。なお、図２２では図面の都合上縞模様で各部分を表現したが、異なる色を用いて表示する。但し、図２２のように異なる色の代わりに異なる縞模様を用いて表示しても良い。
【０１４９】
このように表示することで、２つの印影の同じ部分領域と異なる部分領域が明瞭に表示されるので、この表示から登録印鑑と被照合印鑑が一致するか否かを印鑑照合判定者が判断する。
【０１５０】
次に、多階調グレースケール画像の二値化について説明する。例えば、多階調グレースケール画像とは、印影画像が白黒の二値の画像ではなく、各画素の値が０から２５５までの２５６階調の画像で、画素値の０が黒で、２５５が白、その間の値は灰色で、０に近いほど黒に２５５に近いほど白に近い色を表しているものである。このような画像は、多階調グレースケールの読み取り能力をもつスキャナ等で読み取ることによって得られる。そこで、印鑑の印影では、朱肉の付着具合や押印の仕方等により、印影が一様な濃淡ではなく、また、印影の「かすれ」や「にじみ」等も発生する。
【０１５１】
従って、前述の多階調グレースケールの読み取り能力をもつスキャナで印鑑の印影を読み取ると、印影部分の画素値は一定の濃淡値ではなく、ある幅を持った分布に存在する。そこで、ある閾値を設定して、各画素の画素値がその閾値よりも黒側にあるところを黒に、白側にあるところを白に変換することを二値化処理と呼ぶ。
【０１５２】
このように多階調グレースケール画像の印影画像を二値化した結果の画像に対して、前述の一致不一致色分け表示方法を適用する。しかし、上で説明したように印影部分でも一定の濃淡値ではないため、閾値によっては二値化した結果の印影部分が異なる。図２２（ネ）は、その様子を擬似的に表している。図２２（ネ）はスキャナで読込んだ文字「上」の多階調グレースケール画像を４つの閾値で二値化した時のそれぞれの輪郭を表示したものであり、内側ほど黒に近い閾値を設定したものである。このように、閾値の設定により印影が大きく変化するため、一致不一致色分け表示方法を使って印鑑照合を行う場合に、閾値の設定が及ぼす影響は大きい。
【０１５３】
そこで、第６の実施形態では、閾値を一意に決めず時間周期的に自動で閾値を変更しつつ、それぞれの閾値での「一致不一致色分け表示方法」による表示を行う。
【０１５４】
図２３に、本発明の印鑑照合装置の第６の実施形態を示すブロック構成図を示す。
【０１５５】
第６の実施形態において第１の実施形態と同様の機能を備えるブロックには同一の番号を付与し、第６の実施形態において第１の実施形態と異なるブロックについてのみ詳細に説明する。
【０１５６】
図２３において、登録印保持部２、被照合印保持部３、閾値発生部５１、二値化処理部５４、印影色変換部５５、周期的信号発生部５７、表示制御部７を有する。
【０１５７】
閾値発生部５１は、まず初期閾値を算出し、周期的信号発生部５７からの信号を受けると初期閾値を増減して周期的に閾値を変更し、その結果の閾値を二値化処理部５４に出力する。初期閾値の算出方法は、従来から閾値算出方法として知られている方法を使用するが、例えば、画素値毎の画素の個数による濃度ヒストグラムを求め、ヒストグラムの極小値となる画素値を使う方法がある。また、初期閾値からの増減方法であるが、例えば、まず画素値の最大値まで順次一定値づつ増加され、最大値に達したところで今度は順次一定値づつ減少させ、最小値に達したらまた同様に増加させるという方法を取る。また、別の方法では、上記の一定値づづ増減させるのではなく、先のヒストグラムから、印影の画素値が分布している範囲で増減させる値を小さくして、細かく変化させる方法を取ることも可能である。
【０１５８】
二値化処理部５４は、閾値発生部５１から出力された閾値に従って、被照合印鑑の印影を二値化しその結果の二値画像を前記印影色変換部５５に出力する。
【０１５９】
印影色変換部５５は、先に「一致不一致色分け表示方法」の説明をしたように、登録印鑑の印影と二値化処理部５４で二値化された被照合印鑑の印影とをそれぞれ異なる色に変換し、２つの印影が重なり合う部分を更に異なる色に変換する。例えば、登録印鑑の印影を赤色、被照合印鑑の印影を緑色、重なり合う部分の色を黄色に変換する。これらの色の変換は各画素毎に、その画素がどちらかの印影か両方の印影かを調べながら色を変換すれば良い。また、別の方法として、登録印鑑の印影画像における印影を赤色（色データ値が２進数で１００）に変換し、被照合印鑑の印影画像における印影を緑色（色データ値が２進数で０１０）に変換し、変換後のこの２画像のビットＯＲ処理を行えば重なり合う部分は黄色（色データ値は２進数で１１０ ＝ １００ ＯＲ ０１０）に変換される。このように印影色を変換して、その結果の印影色画像を表示制御部７に出力する。
【０１６０】
周期的信号発生部５７は、一定時間間隔で信号を発生させ、閾値発生部５１に出力して、閾値発生部５１が閾値を変化させるタイミングを知らせる。
【０１６１】
図２４は、本発明の第６の実施形態の動作を示すフローチャートである。第６の実施形態において第１の実施形態と同様の機能を備えるステップには同一の番号を付与し、第６の実施形態において第１の実施形態と異なるステップについて詳細に説明する。
【０１６２】
第１の実施の形態と同様に、まず、印鑑照合判定者は、登録印影の登録印保持部２への読み出しと（ステップ１）、被照合印影の被照合印保持部３への記憶を行う（ステップ２）。
【０１６３】
ここで、第６の実施例では登録印鑑の印影は白黒の二値画像を用い、被照合印鑑の印影は多階調グレースケール画像を用いることとする。
【０１６４】
そこで、前記閾値発生部５１は先に説明したように、被照合印鑑の印影の濃度ヒストグラムを作成して、このヒストグラムから二値化用の初期閾値を算出する（ステップ６１）。
【０１６５】
次に、周期的信号発生部５７から一定時間間隔（例えば３００ミリ秒間隔）で信号が発生したか否かを判定する。周期的信号が発生していた場合はステップ６４に進み、周期的信号が発生していない場合はステップ６３に処理を進める（ステップ６２）。
【０１６６】
まず、ステップ６２で周期的信号が発生していない場合の処理を説明する。閾値発生部５１は、まず、ステップ６１で算出した初期閾値を二値化処理部５４に出力し、二値化処理部５４は被照合印保持部５３に記憶されている多階調グレースケール画像の印影をこの初期閾値で二値化し、結果の二値画像を印影色変換部５５に出力する（ステップ６４）。
【０１６７】
次に、ステップ６２で周期的信号が発生した場合の処理を説明する。周期的信号は逐次、閾値発生部５１に出力される。閾値発生部５１は、この信号を受けると、先に説明したように初期閾値を増減させた新しい閾値を算出し、その結果の閾値を二値化処理部５４に出力する（ステップ６３）。
【０１６８】
二値化処理部５４は被照合印保持部５３に記憶されている多階調グレースケール画像の印影を変換した新しい閾値で二値化し、結果の二値画像を印影色変換部５５に出力する（ステップ６４）。
【０１６９】
印影色変換部５５は、この被照合印鑑の二値化された印影と、登録印保持部５２に記憶されている印影を受け取り、各印影の部分と印影が重なり合う部分との色を変換して、その結果のカラー画像を表示制御部７に出力するステップ６５）。表示制御装置はこのカラー画像をＣＲＴ上に表示する（ステップ６６）。
【０１７０】
ステップ３４で、印影の表示を終了する指示の有無を判定し、終了する場合は処理を終了し、終了しない場合はステップ６２に処理を進める。
【０１７１】
この一連の動作が、一定時間間隔の周期で繰り返され、その繰り返される度に、被照合印鑑の二値化閾値が連続的に変化し、その結果として二値化された被照合印鑑の印影が変化し、従って、登録印鑑と二値化された被照合印鑑の印影との重なり合う部分が変化し、色変換される領域が一定時間毎に変化する表示が行われる。
【０１７２】
第６の実施形態では、登録印鑑の印影と被照合印鑑の印影を、表示の形態として異なる色または縞模様を用いて表示する方法を説明したが、色や模様に限定されず、両印影が区別できる表示形態ならば良い。また、被照合印鑑の印影を異なる閾値で二値化処理したが、登録印鑑の印影または、両方の印影を異なる閾値で二値化しても良い。
【０１７３】
＜第６の実施形態の効果＞
以上のように周期的信号発生部５７を設けて、自動的に二値化閾値を連続的に変化させ、その連続的に変化する閾値に対して毎回被照合印鑑の印影を二値化してから一致不一致色分け表示方法を行うようにしたことで、二値化閾値の最適値を算出または設定する必要がないという効果と、また、多階調グレースケール画像における印影の濃淡の変化が、一致不一致色分け表示の連続的な変化として反映され、朱肉の付着具合や押印むら等の影響を表示から推測でき、その影響を印鑑照合の判断において考慮できるという効果がある。
【０１７４】
本発明の第１から第６までの実施例は、任意に組み合わせて実施することも勿論可能である。
【図面の簡単な説明】
【０１７５】
【図１】本発明の印鑑照合装置の第１の実施形態を示すブロック図である。
【図２】第１の実施形態の印鑑照合装置の動作を示すフローチャートである。
【図３】切断合成による連続性検証方法を説明する図である。
【図４】切断マスクの生成方法を説明する図（直線、十文字）である。
【図５】切断マスクの生成方法を説明する図（円）である。
【図６】切断マスクの生成方法を説明する図（Ｌ字）である。
【図７】切断マスクの生成方法を説明する図（曲線）である。
【図８】第２の実施形態における反転印影の切断合成を説明する図である。
【図９】本発明の印鑑照合装置の第２の実施形態を示すブロック図である。
【図１０】第２の実施形態の印鑑照合装置の動作を示すフローチャートである。
【図１１】平行移動を含む反転した印影と切断合成の例を示す図（１）である。
【図１２】平行移動を含む反転した印影と切断合成の例を示す図（２）である。
【図１３】回転を含む反転した印影と切断合成の例を示す図（１）である。
【図１４】回転を含む反転した印影と切断合成の例を示す図（２）である。
【図１５】本発明の印鑑照合装置の第３の実施形態を示すブロック図である。
【図１６】第３の実施形態の印鑑照合装置の動作を示すフローチャートである。
【図１７】切断位置の自動移動を説明する図である。
【図１８】本発明の印鑑照合装置の第４の実施形態を示すブロック図である。
【図１９】第４の実施形態の印鑑照合装置の動作を示すフローチャートである。
【図２０】本発明の印鑑照合装置の第５の実施形態を示すブロック図である。
【図２１】第５の実施形態の印鑑照合装置の動作を示すフローチャートである。
【図２２】一致不一致色分け表示方法を説明する図である。
【図２３】本発明の印鑑照合装置の第６の実施形態を示すブロック図である。
【図２４】第６の実施形態の印鑑照合装置の動作を示すフローチャートである。
【符号の説明】
【０１７６】
１  切断位置制御部
１１  切断位置制御部
２１  切断位置制御部
３１  切断位置制御部
２  登録印保持部
３  被照合印保持部
４  切断パターン発生部
５  切断マスク生成部
６  印影選択出力部
１６  印影選択出力部
７  表示制御部
１８  印影反転部
２８  周期的移動発生部
４１  切替信号発生部
４４  印影切替部
４５  印影拡大部
４７  拡大表示指示部
５１  閾値発生部
５４  二値化処理部
５５  印影色変換部
５７  周期的信号発生部。
【図１】
2004326821.tif 000003
【図２】
2004326821.tif 000004
【図３】
2004326821.tif 000005
【図４】
2004326821.tif 000006
【図５】
2004326821.tif 000007
【図６】
2004326821.tif 000008
【図７】
2004326821.tif 000009
【図８】
2004326821.tif 000010
【図９】
2004326821.tif 000011
【図１０】
2004326821.tif 000012
【図１１】
2004326821.tif 000013
【図１２】
2004326821.tif 000014
【図１３】
2004326821.tif 000015
【図１４】
2004326821.tif 000016
【図１５】
2004326821.tif 000017
【図１６】
2004326821.tif 000018
【図１７】
2004326821.tif 000019
【図１８】
2004326821.tif 000020
【図１９】
2004326821.tif 000021
【図２０】
2004326821.tif 000022
【図２１】
2004326821.tif 000023
【図２２】
2004326821.tif 000024
【図２３】
2004326821.tif 000025
【図２４】
2004326821.tif 000026